Podtech/llm-jp-corpus-v4-ja_patent huggingface dataset:
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
撮影光学系により結像される被写体像を受けて画像データを生成する撮像素子を変位させて像ブレ補正動作を行なう像ブレ補正装置において、
基台と、
上記撮像素子の受光面に平行な面内における第１の方向に沿って上記基台に対して変位可能に支持される第１の移動部材と、
上記第１の移動部材と共に上記第１の方向に沿って変位可能であり、上記撮像素子の受光面に平行な面内において上記第１の方向と略直交する第２の方向に沿って上記第１の移動部材に対して変位可能に支持され、上記撮像素子を支持する第２の移動部材と、
上記基台に設けられ、上記第１の移動部材を駆動するための第１のモータと、
上記基台に設けられ、上記第２の移動部材を駆動するための第２のモータと、
上記第１のモータにより上記第１の移動部材を駆動する第１の駆動機構と、
上記第２のモータにより上記第２の移動部材を駆動し、上記第１の移動部材の上記第１の方向に沿う変位に伴い上記第２の移動部材が上記第１の方向に沿って変位可能とした第２の駆動機構と、
を具備したことを特徴とする像ブレ補正装置。
【請求項２】
撮影光学系により結像される被写体像を受けて画像データを生成する撮像素子を変位させて像ブレ補正動作を行なう像ブレ補正装置において、
基台と、
上記撮像素子の受光面に平行な面内における第１の方向に沿って上記基台に対して変位可能に支持される第１の移動部材と、
上記第１の移動部材と共に上記第１の方向に沿って変位可能であり、上記撮像素子の受光面に平行な面内において上記第１の方向と略直交する第２の方向に沿って上記第１の移動部材に対して変位可能に支持され、上記撮像素子を支持する第２の移動部材と、
上記基台に設けられ、上記第１の移動部材を駆動するための第１のモータと、
上記基台に設けられ、上記第２の移動部材を駆動するための第２のモータと、
上記基台に設けられ、上記第１のモータにより駆動される第１のリードスクリューと、
この第１のリードスクリューの回転により上記第１の方向に沿って変位する第１のナットとからなる第１の駆動機構と、
上記基台に設けられ、上記第２のモータにより駆動される第２のリードスクリューと、この第２のリードスクリューの回転により上記第２の方向に沿って変位する第２のナットとからなる第２の駆動機構と、
上記第１の移動部材に設けられ、上記第１のナットと係合する第１の係合部と、
上記第２の移動部材に設けられ、上記第２のナットと係合する第２の係合部と、
を具備し、
上記第１の移動部材の上記第１の方向に沿う変位に伴って上記第２の移動部材が上記第１の方向に沿って変位した際に、上記第２のナットと上記第２の係合部とは、上記第１の方向に沿ってその当接位置が変位することを特徴とする像ブレ補正装置。
【請求項３】
上記第２の係合部に設けられ、上記第２のリードスクリューを囲い、かつ上記第１の方向に延出する切欠部を、さらに有して
この切欠部は、上記第１の移動部材の上記第１の方向に沿う移動量よりもその切り欠きが大きく形成されていることを特徴とする請求項２に記載の像ブレ補正装置。
【請求項４】
上記第２の係合部と上記第２のナットは、上記第１の駆動機構が配される領域を上記第１の方向へと延長した領域の近傍に配されることを特徴とする請求項２に記載の像ブレ補正装置。
【請求項５】
上記第２の駆動機構は、上記第１の駆動機構が配される領域を上記第１の方向に沿って延長した領域の近傍に配されることを特徴とする請求項２に記載の像ブレ補正装置。
【請求項６】
上記第１の駆動機構が配される領域と、上記第２の駆動機構が配される領域との間に、上記第１の移動部材を支持する支持軸が配されることを特徴とする請求項５に記載の像ブレ補正装置。
【手続補正２】
【補正対象書類名】明細書
【補正対象項目名】００１２
【補正方法】変更
【補正の内容】
【００１２】
上記目的を達成するために、本発明による像ブレ補正装置は、撮影光学系により結像される被写体像を受けて画像データを生成する撮像素子を変位させて像ブレ補正動作を行なう像ブレ補正装置において、基台と、上記撮像素子の受光面に平行な面内における第１の方向に沿って上記基台に対して変位可能に支持される第１の移動部材と、上記第１の移動部材と共に上記第１の方向に沿って変位可能であり、上記撮像素子の受光面に平行な面内において上記第１の方向と略直交する第２の方向に沿って上記第１の移動部材に対して変位可能に支持され、上記撮像素子を支持する第２の移動部材と、上記基台に設けられ、上記第１の移動部材を駆動するための第１のモータと、上記基台に設けられ、上記第２の移動部材を駆動するための第２のモータと、上記第１のモータにより上記第１の移動部材を駆動する第１の駆動機構と、上記第２のモータにより上記第２の移動部材を駆動し、上記第１の移動部材の上記第１の方向に沿う変位に伴い上記第２の移動部材が上記第１の方向に沿って変位可能とした第２の駆動機構と、を具備したことを特徴とする。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
入力した画像から領域を抽出する領域抽出手段と、
前記領域抽出手段によって抽出された領域間の関連性を抽出する領域関連性抽出手段と、
前記領域関連性抽出手段によって抽出された領域間の関連性を解析する関連性解析手段と、
前記関連性解析手段による解析結果に応じて、前記画像を表示するとともに、画面に表示されていない領域に関する説明を表示する画像表示手段
を具備することを特徴とする画像処理システム。
【請求項２】
前記領域関連性抽出手段は、位置情報、領域の種別、インデックス情報をも抽出する
ことを特徴とする請求項１に記載の画像処理システム。
【請求項３】
前記画像表示手段は、現在画面に表示されている領域と画面に表示されていない領域との位置関係に応じて、前記説明を表示する
ことを特徴とする請求項１に記載の画像処理システム。
【請求項４】
前記画像表示手段は、領域間の関連性に応じて、前記説明の形態を変更する
ことを特徴とする請求項１または３に記載の画像処理システム。
【請求項５】
前記領域関連性抽出手段は、位置情報、領域の種別、インデックス情報をも抽出し、
前記画像表示手段は、前記説明として、領域の種別、インデックス情報、画面に表示されていない領域の変形を表示する
ことを特徴とする請求項１、３または４に記載の画像処理システム。
【請求項６】
画像を入力する画像入力手段と、
前記画像入力手段によって入力された画像から領域を抽出する領域抽出手段と、
前記領域抽出手段によって抽出された領域間の関連性を抽出する領域関連性抽出手段と、
前記領域関連性抽出手段によって抽出された領域間の関連性と前記画像入力手段によって入力された画像を対応付けて記憶する記憶手段と、
前記記憶手段によって記憶されている領域間の関連性を解析する関連性解析手段と、
前記関連性解析手段による解析結果に応じて、前記記憶手段に記憶されている対応付けられた画像を表示するとともに、画面に表示されていない領域に関する説明を表示する画像表示手段
を具備することを特徴とする画像処理システム。
【請求項７】
コンピュータに、
入力した画像から領域を抽出する領域抽出機能と、
前記領域抽出機能によって抽出された領域間の関連性を抽出する領域関連性抽出機能と、
前記領域関連性抽出機能によって抽出された領域間の関連性を解析する関連性解析機能と、
前記関連性解析機能による解析結果に応じて、前記画像を表示するとともに、画面に表示されていない領域に関する説明を表示する画像表示機能
を実現させることを特徴とする画像処理プログラム。
【手続補正２】
【補正対象書類名】明細書
【補正対象項目名】０００５
【補正方法】変更
【補正の内容】
【０００５】
かかる目的を達成するための本発明の要旨とするところは、次の各項の発明に存する。
［１］  入力した画像から領域を抽出する領域抽出手段と、
前記領域抽出手段によって抽出された領域間の関連性を抽出する領域関連性抽出手段と、
前記領域関連性抽出手段によって抽出された領域間の関連性を解析する関連性解析手段と、
前記関連性解析手段による解析結果に応じて、前記画像を表示するとともに、画面に表示されていない領域に関する説明を表示する画像表示手段
を具備することを特徴とする画像処理システム。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
［３］  前記画像表示手段は、現在画面に表示されている領域と画面に表示されていない領域との位置関係に応じて、前記説明を表示する
ことを特徴とする［１］に記載の画像処理システム。
【手続補正５】
【補正対象書類名】明細書
【補正対象項目名】０００９
【補正方法】変更
【補正の内容】
【０００９】
［４］  前記画像表示手段は、領域間の関連性に応じて、前記説明の形態を変更する
ことを特徴とする［１］または［３］に記載の画像処理システム。
【手続補正６】
【補正対象書類名】明細書
【補正対象項目名】００１０
【補正方法】変更
【補正の内容】
【００１０】
［５］  前記領域関連性抽出手段は、位置情報、領域の種別、インデックス情報をも抽出し、
前記画像表示手段は、前記説明として、領域の種別、インデックス情報、画面に表示されていない領域の変形を表示する
ことを特徴とする［１］、［３］または［４］に記載の画像処理システム。
【手続補正７】
【補正対象書類名】明細書
【補正対象項目名】００１１
【補正方法】変更
【補正の内容】
【００１１】
［６］  画像を入力する画像入力手段と、
前記画像入力手段によって入力された画像から領域を抽出する領域抽出手段と、
前記領域抽出手段によって抽出された領域間の関連性を抽出する領域関連性抽出手段と、
前記領域関連性抽出手段によって抽出された領域間の関連性と前記画像入力手段によって入力された画像を対応付けて記憶する記憶手段と、
前記記憶手段によって記憶されている領域間の関連性を解析する関連性解析手段と、
前記関連性解析手段による解析結果に応じて、前記記憶手段に記憶されている対応付けられた画像を表示するとともに、画面に表示されていない領域に関する説明を表示する画像表示手段
を具備することを特徴とする画像処理システム。
【手続補正８】
【補正対象書類名】明細書
【補正対象項目名】００１２
【補正方法】変更
【補正の内容】
【００１２】
［７］  コンピュータに、
入力した画像から領域を抽出する領域抽出機能と、
前記領域抽出機能によって抽出された領域間の関連性を抽出する領域関連性抽出機能と、
前記領域関連性抽出機能によって抽出された領域間の関連性を解析する関連性解析機能と、
前記関連性解析機能による解析結果に応じて、前記画像を表示するとともに、画面に表示されていない領域に関する説明を表示する画像表示機能
を実現させることを特徴とする画像処理プログラム。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
第１のオペレーティングシステムを実行し、前記第１のオペレーティングシステムの起動が完了した場合、第１のユーザインタフェースの処理を実行する第１の演算処理装置と、
前記第１のオペレーティングシステムに比較して短い時間で起動される第２のオペレーティングシステムを実行し、前記第２のオペレーティングシステムの起動が完了した場合、前記第１の演算処理装置と共用する入力手段から前記使用者の指示が取得される第２のユーザインタフェースの処理を実行し、前記第１のオペレーティングシステムの起動が完了したとき、前記第２のユーザインタフェースの処理の実行を抑制する第２の演算処理装置と
を備える電子機器。
【請求項２】
前記第１の演算処理装置は、前記第２の演算処理装置に前記第２のオペレーティングシステムの起動を開始させてから、前記第１のオペレーティングシステムの起動を開始する
請求項１に記載の電子機器。
【請求項３】
前記第１の演算処理装置は、前記第２の演算処理装置に前記第２のオペレーティングシステムの起動を開始させ、前記第１のオペレーティングシステムの起動を開始すると共に、予め記憶されている前記使用者からの動作の指示を示すデータを、前記第１のユーザインタフェースの処理および前記第２のユーザインタフェースの処理で共用される記憶領域に読み出す
請求項１に記載の電子機器。
【請求項４】
前記第１の演算処理装置は、起動の要因を示すデータを前記第２のユーザインタフェースの処理で使用される記憶領域に書き込み、
前記第２の演算処理装置は、書き込まれた起動の要因を示すデータにより、起動の要因に応じた前記第２のユーザインタフェースの処理を実行する
請求項１に記載の電子機器。
【請求項５】
前記第２の演算処理装置は、前記第１のユーザインタフェースの処理のうちの一部の処理と同様の処理を前記第２のユーザインタフェースの処理として実行する
請求項１に記載の電子機器。
【請求項６】
電子機器の起動方法において、
第１のオペレーティングシステムを実行する第１の演算処理装置により、前記第１のオペレーティングシステムの起動が完了した場合、第１のユーザインタフェースの処理を実行し、
前記第１のオペレーティングシステムに比較して短い時間で起動される第２のオペレーティングシステムを実行する第２の演算処理装置により、前記第２のオペレーティングシステムの起動が完了した場合、前記第１の演算処理装置と共用する入力手段から前記使用者の指示が取得される第２のユーザインタフェースの処理を実行し、
前記第１のオペレーティングシステムの起動が完了した場合、前記第２の演算処理装置による前記第２のユーザインタフェースの処理の実行を抑制する
ステップを含む起動方法。
【手続補正２】
【補正対象書類名】明細書
【補正対象項目名】００５５
【補正方法】変更
【補正の内容】
【００５５】
本発明の一側面の電子機器は、第１のオペレーティングシステムを実行し、前記第１のオペレーティングシステムの起動が完了した場合、第１のユーザインタフェースの処理を実行する第１の演算処理装置と、前記第１のオペレーティングシステムに比較して短い時間で起動される第２のオペレーティングシステムを実行し、前記第２のオペレーティングシステムの起動が完了した場合、前記第１の演算処理装置と共用する入力手段から前記使用者の指示が取得される第２のユーザインタフェースの処理を実行し、前記第１のオペレーティングシステムの起動が完了したとき、前記第２のユーザインタフェースの処理の実行を抑制する第２の演算処理装置とを備える。
【手続補正３】
【補正対象書類名】明細書
【補正対象項目名】００６０
【補正方法】変更
【補正の内容】
【００６０】
本発明の一側面の起動方法は、電子機器の起動方法において、第１のオペレーティングシステムを実行する第１の演算処理装置により、前記第１のオペレーティングシステムの起動が完了した場合、第１のユーザインタフェースの処理を実行し、前記第１のオペレーティングシステムに比較して短い時間で起動される第２のオペレーティングシステムを実行する第２の演算処理装置により、前記第２のオペレーティングシステムの起動が完了した場合、前記第１の演算処理装置と共用する入力手段から前記使用者の指示が取得される第２のユーザインタフェースの処理を実行し、前記第１のオペレーティングシステムの起動が完了した場合、前記第２の演算処理装置による前記第２のユーザインタフェースの処理の実行を抑制するステップを含む。
【手続補正４】
【補正対象書類名】明細書
【補正対象項目名】００６４
【補正方法】変更
【補正の内容】
【００６４】
本発明の一側面の電子機器（例えば、図３の撮影装置１０１）は、第１のオペレーティングシステムを実行し、前記第１のオペレーティングシステムの起動が完了した場合、第１のユーザインタフェースの処理を実行する第１の演算処理装置（例えば、図３のCPU１１１）と、前記第１のオペレーティングシステムに比較して短い時間で起動される第２のオペレーティングシステムを実行し、前記第２のオペレーティングシステムの起動が完了した場合、前記第１の演算処理装置と共用する入力手段から前記使用者の指示が取得される第２のユーザインタフェースの処理を実行し、前記第１のオペレーティングシステムの起動が完了したとき、前記第２のユーザインタフェースの処理の実行を抑制する第２の演算処理装置（例えば、図３のCPU１１２）とを備える。
【手続補正５】
【補正対象書類名】明細書
【補正対象項目名】００６５
【補正方法】変更
【補正の内容】
【００６５】
本発明の一側面の起動方法は、電子機器の起動方法において、第１のオペレーティングシステムを実行する第１の演算処理装置により、前記第１のオペレーティングシステムの起動が完了した場合、第１のユーザインタフェースの処理を実行し（例えば、図６のステップＳ３４）、前記第１のオペレーティングシステムに比較して短い時間で起動される第２のオペレーティングシステムを実行する第２の演算処理装置により、前記第２のオペレーティングシステムの起動が完了した場合、前記第１の演算処理装置と共用する入力手段から前記使用者の指示が取得される第２のユーザインタフェースの処理を実行し（例えば、図６のステップＳ２５）、前記第１のオペレーティングシステムの起動が完了した場合、前記第２の演算処理装置による前記第２のユーザインタフェースの処理の実行を抑制する（例えば、図６のステップＳ３３）ステップを含む。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
属性情報として撮影日時情報を含む画像ファイルを読み込む画像ファイル読み込み手段と、
前記画像ファイル読み込み手段が読み込んだ画像ファイルに格納された画像データを用いて、新たな画像ファイルを作成する画像ファイル作成手段と、
を有し、
前記画像ファイル作成手段は、
作成した画像ファイルに対応するディレクトリエントリ中の作成日時情報として、前記読み込み手段が読み込んだ前記画像ファイルの前記撮影日時情報を記録する撮影日時記録手段と、
作成した画像ファイルに対応するディレクトリエントリ中の更新日時情報として、作成した画像ファイルの作成日時情報を記録する作成日時記録手段と、
を有することを特徴とする画像処理装置。
【請求項２】
前記画像ファイル読み込み手段が読み込んだ画像ファイルのディレクトリエントリ中の作成日時情報が記録されていない場合、前記撮影日時記録手段は、前記画像ファイル読み込み手段が読み込んだ画像ファイルのアプリケーションマーカー中に格納された撮影日時情報を、作成した画像ファイルに対応するディレクトリエントリ中の作成日時情報として記録することを特徴とする請求項１に記載の画像処理装置。
【請求項３】
前記画像ファイル読み込み手段が読み込んだ画像ファイルのディレクトリエントリ中の作成日時情報が記録されておらず、且つ、読み込んだ画像ファイルのアプリケーションマーカー中に格納された撮影日時情報が記録されていない場合、前記撮影日時記録手段は、前記画像ファイル読み込み手段が読み込んだ画像ファイルのディレクトリエントリ中の更新日時情報を、作成した画像ファイルに対応するディレクトリエントリ中の作成日時情報として記録することを特徴とする請求項１に記載の画像処理装置。
【請求項４】
画像処理装置が実行する画像処理方法であって、
属性情報として撮影日時情報を含む画像ファイルを読み込む画像ファイル読み込み工程と、
前記画像ファイル読み込み工程において読み込んだ画像ファイルに格納された画像データを用いて、新たな画像ファイルを作成する画像ファイル作成工程と、
を有し、
前記画像ファイル作成工程は、
作成した画像ファイルに対応するディレクトリエントリ中の作成日時情報として、前記読み込み工程で読み込んだ前記画像ファイルの前記撮影日時情報を記録する撮影日時記録工程と、
作成した画像ファイルに対応するディレクトリエントリ中の更新日時情報として、作成した画像ファイルの作成日時情報を記録する作成日時記録工程と、
を有することを特徴とする画像処理方法。
【請求項５】
コンピュータに、
属性情報として撮影日時情報を含む画像ファイルを読み込む画像ファイル読み込み工程と、
前記画像ファイル読み込み工程において読み込んだ画像ファイルに格納された画像データを用いて、新たな画像ファイルを作成する画像ファイル作成工程と、
を実行させるプログラムであって、
前記画像ファイル作成工程は、
作成した画像ファイルに対応するディレクトリエントリ中の作成日時情報として、前記読み込み工程で読み込んだ前記画像ファイルの前記撮影日時情報を記録する撮影日時記録工程と、
作成した画像ファイルに対応するディレクトリエントリ中の更新日時情報として、作成した画像ファイルの作成日時情報を記録する作成日時記録工程と、
を有することを特徴とするプログラム。
【請求項６】
請求項５に記載のプログラムを記録したコンピュータ読み取り可能な記録媒体。
【手続補正２】
【補正対象書類名】明細書
【補正対象項目名】０００７
【補正方法】変更
【補正の内容】
【０００７】
そこで、本発明の画像処理装置は、属性情報として撮影日時情報を含む画像ファイルを読み込む画像ファイル読み込み手段と、前記画像ファイル読み込み手段が読み込んだ画像ファイルに格納された画像データを用いて、新たな画像ファイルを作成する画像ファイル作成手段と、を有し、前記画像ファイル作成手段は、作成した画像ファイルに対応するディレクトリエントリ中の作成日時情報として、前記読み込み手段が読み込んだ前記画像ファイルの前記撮影日時情報を記録する撮影日時記録手段と、作成した画像ファイルに対応するディレクトリエントリ中の更新日時情報として、作成した画像ファイルの作成日時情報を記録する作成日時記録手段と、を有することを特徴とする。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
遊技球を検出する第１の球検出手段と、
前記第１の球検出手段により遊技球が検出されたことに基づいて、遊技者に賞球が払い出される払出処理、及び所定の特別結果が得られるか否かについての特別抽選処理をそれぞれ行う特別処理手段と、
前記特別処理手段により前記特別抽選処理が行われるとき、所定の特別変動時間だけ特別図柄についての変動表示が行われる特別図柄表示手段と、
前記特別処理手段による前記特別抽選処理にて所定の特別結果が得られたとき、遊技者に有利な第１特典を付与する第１特典付与手段と、
前記第１の球検出手段とは別に構成されて遊技球を検出する第２の球検出手段と、
前記第２の球検出手段による遊技球の検出に基づいて、遊技者に賞球が払い出される前記払出処理を行うことなく、所定の普通結果が得られるか否かについての普通抽選処理を行う普通処理手段と、
前記特別図柄表示手段とは別に構成されてなり、前記普通処理手段により前記普通抽選処理が行われるとき、所定の普通変動時間だけ普通図柄についての変動表示が行われる普通図柄表示手段と、
前記普通処理手段による前記普通抽選処理にて所定の普通結果が得られたとき、遊技者に有利な第２特典を付与する第２特典付与手段と、
前記特別図柄表示手段及び前記普通図柄表示手段とはそれぞれ別に構成されてなり、一の演出表示が現れる演出表示手段と、
前記特別処理手段及び前記普通処理手段により別々に行われる抽選処理の結果を、前記演出表示手段にて現れる前記一の演出表示を通じて示唆する演出表示制御手段と、
を備え、
前記演出表示制御手段は、
前記特別図柄表示手段により前記特別図柄についての変動表示が行われていないとき、前記普通処理手段による前記普通抽選処理についての結果が示唆される普通用演出表示を、前記普通図柄についての変動表示の開始に合わせて前記一の演出表示として実行する普通用演出制御、及び
前記特別図柄表示手段による前記特別図柄についての変動表示に際して、前記普通用演出実行手段による前記普通用演出表示についての実行を中断するとともに、前記特別処理手段による前記特別抽選処理についての結果が示唆されて前記普通用演出表示とは表示態様の異なる特別用演出表示を、前記特別図柄についての変動表示の開始に合わせて前記一の演出表示として実行する特別用演出制御
の２つの制御を通じて、前記普通用演出表示及び前記特別用演出表示のいずれかが前記一の演出表示として切り替えられつつ前記演出表示手段にて現れるようにすることで、遊技者への賞球の払い出しを抑制しつつ、前記特別用演出表示が現れないときの前記演出表示手段における演出機会を増加させるものである
ことを特徴とする遊技機。
【請求項２】
前記特別処理手段は、前記第１の球検出手段により遊技球が検出されたときに取得される第１の当落判定用乱数に基づいて前記特別抽選処理を行うものである
請求項１に記載の遊技機。
【請求項３】
前記普通処理手段は、前記第２の球検出手段により遊技球が検出されたときに取得される第２の当落判定用乱数に基づいて前記普通抽選処理を行うものである
請求項１または２に記載の遊技機。
【手続補正２】
【補正対象書類名】明細書
【補正対象項目名】０００４
【補正方法】変更
【補正の内容】
【０００４】
上記目的を達成するために、請求項１に係る発明においては、遊技球を検出する第１の球検出手段と、前記第１の球検出手段により遊技球が検出されたことに基づいて、遊技者に賞球が払い出される払出処理、及び所定の特別結果が得られるか否かについての特別抽選処理をそれぞれ行う特別処理手段と、前記特別処理手段により前記特別抽選処理が行われるとき、所定の特別変動時間だけ特別図柄についての変動表示が行われる特別図柄表示手段と、前記特別処理手段による前記特別抽選処理にて所定の特別結果が得られたとき、遊技者に有利な第１特典を付与する第１特典付与手段と、前記第１の球検出手段とは別に構成されて遊技球を検出する第２の球検出手段と、前記第２の球検出手段による遊技球の検出に基づいて、遊技者に賞球が払い出される前記払出処理を行うことなく、所定の普通結果が得られるか否かについての普通抽選処理を行う普通処理手段と、前記特別図柄表示手段とは別に構成されてなり、前記普通処理手段により前記普通抽選処理が行われるとき、所定の普通変動時間だけ普通図柄についての変動表示が行われる普通図柄表示手段と、前記普通処理手段による前記普通抽選処理にて所定の普通結果が得られたとき、遊技者に有利な第２特典を付与する第２特典付与手段と、前記特別図柄表示手段及び前記普通図柄表示手段とはそれぞれ別に構成されてなり、一の演出表示が現れる演出表示手段と、前記特別処理手段及び前記普通処理手段により別々に行われる抽選処理の結果を、前記演出表示手段にて現れる前記一の演出表示を通じて示唆する演出表示制御手段と、を備え、前記演出表示制御手段は、前記特別図柄表示手段により前記特別図柄についての変動表示が行われていないとき、前記普通処理手段による前記普通抽選処理についての結果が示唆される普通用演出表示を、前記普通図柄についての変動表示の開始に合わせて前記一の演出表示として実行する普通用演出制御、及び前記特別図柄表示手段による前記特別図柄についての変動表示に際して、前記普通用演出実行手段による前記普通用演出表示についての実行を中断するとともに、前記特別処理手段による前記特別抽選処理についての結果が示唆されて前記普通用演出表示とは表示態様の異なる特別用演出表示を、前記特別図柄についての変動表示の開始に合わせて前記一の演出表示として実行する特別用演出制御の２つの制御を通じて、前記普通用演出表示及び前記特別用演出表示のいずれかが前記一の演出表示として切り替えられつつ前記演出表示手段にて現れるようにすることで、遊技者への賞球の払い出しを抑制しつつ、前記特別用演出表示が現れないときの前記演出表示手段における演出機会を増加させるものであることを特徴とする。
また、請求項２に係る発明においては、請求項１に係る発明において、前記特別処理手段は、前記第１の球検出手段により遊技球が検出されたときに取得される第１の当落判定用乱数に基づいて前記特別抽選処理を行うものであることを特徴とする。
また、請求項３に係る発明においては、請求項１または２に係る発明において、前記普通処理手段は、前記第２の球検出手段により遊技球が検出されたときに取得される第２の当落判定用乱数に基づいて前記普通抽選処理を行うものであることを特徴とする。
【手続補正３】
【補正対象書類名】明細書
【補正対象項目名】０００６
【補正方法】変更
【補正の内容】
【０００６】
演出情報を変動表示する機会を増やし、演出情報表示手段による視覚的な演出効果を充分に生かすことができる。なお、一般的に、図柄（特別図柄）の変動表示に加えて表示情報（普通図柄）を変動表示する遊技機では、表示情報の変動表示を許可する球検出手段への遊技球の通過を容易にして、遊技期間のほぼ全ての期間で表示情報を変動表示するようになっている。従って、このような構成を前提とした場合、遊技期間のほぼ全ての期間で演出情報を変動表示することができるため、演出情報表示手段による視覚的な演出効果を十二分に発揮させることができる。
【手続補正書】
【提出日】平成21年5月18日(2009.5.18)
【手続補正１】
【補正対象書類名】特許請求の範囲
【補正対象項目名】請求項１
【補正方法】変更
【補正の内容】
【請求項１】
イ）既設用水路から水田または別の用水路へ通ずる導管１を設け、その先端側に導管フランジ部１Ａを設け、別体で軸方向長孔状の開口部２Ｃを有し、先端側が閉塞部２Ｂにより閉塞した直管２を設け、更に該直管２の外側に挿通し、両端で異なる口径のソケット３を設け、導管フランジ部１Ａとソケット３の後端側とに相陥合するねじ機構を設ける。
（ロ）直管２の後端側にソケット３の先端側内径を超え、後端側内径以下の外径の直管フランジ部２Ａを設け、それをソケット３と導管フランジ部１Ａとで挟んでねじ力で締結または弛緩することにより、直管２を角度自在に導管１へ着脱できるようにする。
（ハ）既設用水路壁６の水田への開口部、または既設用水路内に、調整最高水位以上の高さの固定壁５を打設し、導管フランジ部１Ａを水田側に向けて突き出した状態で、固定壁５内部に導管１の後端側部分を埋め込み固定する。
以上の構成を特徴とし、手動で直管２の開口部２Ｃの角度を変えると共に、それをソケット３で固定することにより、自在に水位を調整可能とする水田用堰。
【手続補正２】
【補正対象書類名】明細書
【補正対象項目名】０００６
【補正方法】変更
【補正の内容】
【０００６】
請求項１の発明は、先端側（何れの管端かを区別するために、本書では、水田側を「先端側」、用水路側を「後端側」と称する）が閉塞し、かつ、軸方向長孔状の開口部を有する、水田に給排水するための直管を設け、この直管を手動で自在に回転させることによって水田の任意の水位調整ができるようにしたこと、用水路から水田に通ずる導管と該直管の接続部にフランジ及び両端が異口径のソケットを設け、該ソケットと導管フランジ部とのねじ力で直管フランジ部を挟み保持することにより、直管の手動による回転及び堅固な固定を容易としたこと、導管の一部は用水路の開口部に設けた土製またはコンクリート製の固定壁（以下、両者を含めて「固定壁」と記す）内に埋設して固定すること、を最も主要な特徴とする。
【手続補正３】
【補正対象書類名】明細書
【補正対象項目名】００１２
【補正方法】変更
【補正の内容】
【００１２】
先ず、既設用水路から水田または別の用水路へ通ずる導管１を設け、その先端側に導管フランジ部１Ａを設け、別体で軸方向長孔状の開口部２Ｃを有し先端側が閉塞部２Ｂにより閉塞した直管２を設け、更に該直管２の外側に挿通し、両端が異口径のソケット３を設け、導管フランジ部１Ａとソケット３の後端側とに相陥合するねじ機構を設ける。この時、導管１の口径は調整したい水位の上下差を超えるものとし、開口部２Ｃは、管内の水が抵抗無く流れるよう、その面積が直管２の内側断面積とほぼ等しいものとするのが良い。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
超音波探触子が接続される本体筺体と、操作スイッチを備える操作装置と、前記本体筺体と前記操作装置とを連結する可動アームとを少なくとも有する超音波診断装置において、
前記操作装置の周囲にバンパ部が形成され、
当該バンパ部に前記超音波探触子を収納可能な探触子収納部を少なくとも一つ有することを特徴とする超音波診断装置。
【請求項２】
超音波探触子が接続される本体筺体と、操作スイッチを備える操作装置と、前記本体筺体と前記操作装置とを連結する可動アームとを少なくとも有する超音波診断装置において、
前記操作装置よりも低い位置であり、かつ当該操作装置を囲むように形成されるバンパ部を有し、
当該バンパ部に前記超音波探触子を収納可能な探触子収納部を少なくとも一つ有し、
前記操作装置は、該操作装置の底面部に設けられるキーボード収納部と、該キーボード収納部にスライド可能に取り付けられるキーボードとを備え、
前記キーボードは、前記バンパ部よりも高い位置に設置され、
スライドした前記キーボードを、当該バンパ部の上面部において支持することを特徴とする超音波診断装置。
【請求項３】
請求項１または２に記載の超音波診断装置において、
前記超音波探触子はコードを介して前記本体筐体に接続され、
前記探触子収納部において、当該コードの一部を保持可能であることを特徴とする超音波診断装置。
【請求項４】
請求項１から３のいずれかに記載の超音波診断装置において、
前記探触子収納部は、少なくとも前記操作装置よりも低い位置に配置されていることを特徴とする超音波診断装置。
【請求項５】
請求項１または２に記載の超音波診断装置において、
前記操作スイッチはトラックボールを含み、当該トラックボールの回転軸を中心に、前記探触子収納部が対称配置されていることを特徴とする超音波診断装置。
【請求項６】
請求項１または２に記載の超音波診断装置において、
前記バンパ部は前記操作装置を移動させるためのハンドル部をその一部に形成していることを特徴とする超音波診断装置。
【請求項７】
請求項１に記載の超音波診断装置において、
前記操作装置は、該操作装置の底面部に設けられるキーボード収納部と、該キーボード収納部にスライド可能に取り付けられるキーボードを備え、
前記キーボードは、前記キーボード収納部から引き出された状態で、前記バンパ部を介して、その下部を支持されることを特徴とする超音波診断装置。
【請求項８】
請求項１または２に記載の超音波診断装置において、
前記操作スイッチは、中央のトラックボールと、複数のスイッチとから構成されることを特徴とする超音波診断装置。
【請求項９】
請求項１または２に記載の超音波診断装置において、
前記本体筐体に、装置を収納する複数の装置収納部を上下に配列し、
前記複数の装置収納部の前面は、上部の装置収納部が下部の装置収納部より後方に位置するように形成されていることを特徴とする超音波診断装置。
【請求項１０】
請求項１または２に記載の超音波診断装置において、
前記探触子収納部は前記本体筐体にも備えられていることを特徴とする超音波診断装置。
【請求項１１】
請求項１または２に記載の超音波診断装置において、
前記本体筐体の前面から上面にかけて傾斜して延びるハンドル部を更に有することを特徴とする超音波診断装置。
【手続補正書】
【提出日】平成21年10月28日(2009.10.28)
【手続補正１】
【補正対象書類名】特許請求の範囲
【補正対象項目名】請求項１
【補正方法】変更
【補正の内容】
【請求項１】
複数種類の図柄を所定の方向に変動表示する図柄表示装置と、
主基板とを有する弾球遊技機であって、
主基板及び図柄表示装置は各々別にＣＰＵを有し、この主基板のＣＰＵは、
図柄の変動時間情報を含んだ変動コマンドを図柄表示装置のＣＰＵに送信するとともに、図柄表示装置のＣＰＵからは主基板のＣＰＵに送信不能に形成し、
図柄表示装置は、
停止図柄を表す停止図柄データと、
循環配列に従って変動させている図柄の循環的な切り替え時に、循環的でない図柄に差し替えて表示するようなパターン情報を含む図柄の変動パターンを表す変動パターンデータとを記憶するＲＯＭを有し、
主基板では、
変動コマンドを、主基板のＣＰＵから図柄表示装置のＣＰＵに変動開始時にのみ送信すると共に、変動コマンドの変動時間情報に含まれる図柄の変動時間をタイマーに設定し、タイマーに設定された時間の経過の計測が開始され、
変動コマンドを受信した図柄表示装置のＣＰＵは、
ＲＯＭから、変動コマンドに応じた、停止図柄データ及び変動パターンデータを取得し、
変動開始から変動停止までを変動パターンデータに従って変動表示を行うと共に、停止図柄データに従って停止図柄を表示するように制御し、
主基板は、
図柄の変動開始後であって変動停止前に、当該図柄の変動とは直接関係のない演出に係るコマンドを送信可能とし、
タイマーで計測している時間が設定された時間に達したとき、主基板のＣＰＵから図柄停止コマンドを図柄表示装置のＣＰＵに送信し、
図柄停止コマンドを受信した図柄表示装置のＣＰＵは、受信後に、停止図柄データに係る停止図柄を本来停止すべき位置で停止させることを特徴とする弾球遊技機。
【手続補正２】
【補正対象書類名】明細書
【補正対象項目名】０００７
【補正方法】変更
【補正の内容】
【０００７】
そこで、本発明のうち請求項１記載の発明は、図柄表示装置を備えた弾球遊技機において、図柄を変動させる際にのみ、図柄の変動を指示するコマンドを送信するとともに、そのコマンドに応じた画像表示は図柄表示装置に任せることで、図柄制御における主基板の通信負担を軽くすることを目的とする。これに加えて、表示媒体のいかんに拘わらず統一したコマンド体系で図柄変動を制御すると共に、図柄変動とは直接関係のない演出を行うことも目的とする。更に、停止図柄の停止位置の微妙なずれを解消することを目的とする。
【手続補正３】
【補正対象書類名】明細書
【補正対象項目名】０００８
【補正方法】変更
【補正の内容】
【０００８】
（請求項１）
上記の課題に鑑み、本発明のうち請求項１記載の発明は、複数種類の図柄を所定の方向に変動表示する図柄表示装置と、主基板とを有する弾球遊技機であって、主基板及び図柄表示装置は各々別にＣＰＵを有し、この主基板のＣＰＵは、図柄の変動時間情報を含んだ変動コマンドを図柄表示装置のＣＰＵに送信するとともに、図柄表示装置のＣＰＵからは主基板のＣＰＵに送信不能に形成し、図柄表示装置は、停止図柄を表す停止図柄データと、循環配列に従って変動させている図柄の循環的な切り替え時に、循環的でない図柄に差し替えて表示するようなパターン情報を含む図柄の変動パターンを表す変動パターンデータとを記憶するＲＯＭを有し、主基板では、変動コマンドを、主基板のＣＰＵから図柄表示装置のＣＰＵに変動開始時にのみ送信すると共に、変動コマンドの変動時間情報に含まれる図柄の変動時間をタイマーに設定し、タイマーに設定された時間の経過の計測が開始され、変動コマンドを受信した図柄表示装置のＣＰＵは、ＲＯＭから、変動コマンドに応じた、停止図柄データ及び変動パターンデータを取得し、変動開始から変動停止までを変動パターンデータに従って変動表示を行うと共に、停止図柄データに従って停止図柄を表示するように制御し、主基板は、図柄の変動開始後であって変動停止前に、当該図柄の変動とは直接関係のない演出に係るコマンドを送信可能とし、タイマーで計測している時間が設定された時間に達したとき、主基板のＣＰＵから図柄停止コマンドを図柄表示装置のＣＰＵに送信し、図柄停止コマンドを受信した図柄表示装置のＣＰＵは、受信後に、停止図柄データに係る停止図柄を本来停止すべき位置で停止させることを特徴とする。
【手続補正４】
【補正対象書類名】明細書
【補正対象項目名】００３４
【補正方法】変更
【補正の内容】
【００３４】
本発明は上記のように構成されているので、以下に記す効果を奏する。
すなわち、請求項１記載の発明の説明によると、図柄表示装置を備えた弾球遊技機において、図柄を変動させる際にのみ、図柄の変動を指示するコマンドを送信するとともに、そのコマンドに応じた画像表示は図柄表示装置に任せることで、図柄制御における主基板の通信負担を軽くすることが可能となる。これに加えて、表示媒体のいかんに拘わらず統一したコマンド体系で図柄変動を制御すると共に、図柄変動とは直接関係のない演出を行うことが可能となる。更に、停止図柄の停止位置の微妙なずれを解消することが可能となる。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
吸引気流を発生させ、発生した気流によりゴミを集塵する電気掃除機において、
掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備え、
前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルが押下されると、前記ペダルが回転し、前記リンク部材が上方へ移動し、前記上下方向に移動可能な部材も上方へ移動し、前記延長管部と前記床用吸口体部とを接続していたロックが解除され、前記延長管部と前記床用吸口体部とが分離可能となり、
前記ペダルへの力がなくなると、前記ペダルの位置が戻り、前記上下方向に移動可能な部材の位置も戻り、
前記床用吸口体部に前記延長管が差し込まれると、その差し込み力により、前記延長管が前記床用吸口体部にロックされることを特徴とする電気掃除機。
【請求項２】
吸引気流を発生させ、発生した気流によりゴミを集塵する電気掃除機において、
掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備え、
前記延長管は、他の吸口が接続された状態で、前記床用吸口体部に接続可能であって、
前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルが押下されると、前記ペダルが回転し、前記リンク部材が上方へ移動し、前記上下方向に移動可能な部材も上方へ移動し、前記延長管部と前記床用吸口体部とを接続していたロックが解除され、前記延長管部と前記床用吸口体部とが分離可能となり、
前記ペダルへの力がなくなると、前記ペダルの位置が戻り、前記上下方向に移動可能な部材の位置も戻り、
前記床用吸口体部に前記延長管が差し込まれると、その差し込み力により、前記延長管が前記床用吸口体部にロックされることを特徴とする電気掃除機。
【請求項３】
吸引気流を発生させ、発生した気流によりゴミを集塵する電気掃除機において、
掃除機本体と、掃除機本体に接続可能なホース部と、該ホース部に接続可能で内部に風路を形成したグリップ部と、床用吸口体部と、前記グリップ部と前記床用吸口体部との間に接続可能で風路を形成した部材とを備え、
前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルが押下されると、前記ペダルが回転し、前記リンク部材が上方へ移動し、前記上下方向に移動可能な部材も上方へ移動し、前記上下方向に移動可能な部材が前記風路を形成した部材を押し上げ、前記風路を形成した部材と前記床用吸口体部とを接続していたロックが解除され、前記風路を形成した部材と前記床用吸口体部とが分離可能となり、
前記ペダルへの力がなくなると、前記ペダルの位置が戻り、前記上下方向に移動可能な部材の位置も戻り、
前記床用吸口体部に前記風路を形成した部材が差し込まれると、その差し込み力により、前記風路を形成した部材が前記床用吸口体部にロックされることを特徴とする電気掃除機。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
遊技に必要な図柄を３列に変動表示する変動表示手段と、
前記変動表示手段を各列毎に、遊技者が停止操作を行うために設けられた停止操作部と、
複数の内部当選役のいずれかを決定する内部当選役決定手段と、
前記複数の内部当選役のうち特定の内部当選役に対応する複数の停止制御テーブルであって、前記変動表示手段の各列毎に、遊技者による停止操作がなされたときの停止操作位置に対応する停止制御位置の情報により構成される情報群を、最初に停止操作されるべき前記停止操作部の種別に対応して有する複数の停止制御テーブルと、
前記複数の停止制御テーブルの中から、一の停止制御テーブルを選択する停止制御テーブル選択手段と、
前記内部当選役決定手段の決定結果が前記特定の内部当選役である場合に前記停止制御テーブル選択手段により選択された停止制御テーブルに含まれる前記情報群に基づいて、前記変動表示手段を停止制御する停止制御手段とを備え、
前記複数の停止制御テーブルの各々に含まれる情報群は、特定の１つの列を除く２つの列において前記特定の内部当選役の入賞成立が実現することを妨げない前記停止操作位置に対応する停止制御位置の情報、並びに前記特定の１つの列において前記特定の内部当選役の入賞成立が実現することとなる前記停止操作位置に対応する停止制御位置の情報及び前記特定の内部当選役の入賞成立が実現しないこととなる前記停止操作位置に対応する停止制御位置の情報により構成され、
前記複数の停止制御テーブルの各々は、最初に停止操作されるべき前記停止操作部の種別の情報を除いて同一であり、
前記内部当選役決定手段の決定結果が特定の内部当選役であり、前記停止制御テーブル選択手段により前記複数の停止制御テーブルのうちから一の前記停止制御テーブルが選択されたとき、前記停止制御手段は、当該選択された停止制御テーブルに含まれる前記情報群と、最初に停止操作された前記停止操作部の種別とに基づいて、前記変動表示手段を停止制御することを特徴とする遊技機。
【請求項２】
請求項１記載の遊技機において、
前記内部当選役決定手段の決定結果が前記特定の内部当選役である場合に、前記特定の内部当選役の入賞成立が実現することとなる最初に停止操作されるべき前記停止操作部の種別を報知する報知手段をさらに備えたことを特徴とする遊技機。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
遊技に必要な複数の図柄を変動表示する変動表示手段と、
特定役の入賞成立を示す特定の図柄組合せが、前記変動表示手段の変動表示の停止時に所定のラインに沿って並ぶこととなるために必要な情報を報知する報知手段と、
前記変動表示手段及び前記報知手段を制御する制御手段とを具備し、
前記制御手段は、
前記特定の図柄組合せを含む、遊技者にとって有利な図柄組合せが、前記変動表示の停止時に前記所定のラインに沿って並ぶことを許可するか否かの第一の決定と、
該第一の決定の結果及び遊技者の停止操作のタイミングに基づいて、前記変動表示の停止時に表示すべき態様を決定する第二の決定と、
特別増加役の入賞成立に基づいて発生する特別遊技状態の終了後に前記報知手段により報知される遊技者にとって有利な状況を発生させるか否かを、特別遊技状態が複数回発生した場合の各々の回について、一の乱数抽選の結果に基づいて予め決定する第三の決定とを行い、
前記報知手段は、前記第一の決定の結果が、前記特定の図柄組合せが前記所定のラインに沿って並ぶことを許可するものであるとき、前記情報として前記特定の図柄組合せを構成する図柄を報知することを特徴とする遊技機。
【請求項２】
請求項１記載の遊技機において、
前記制御手段は、前記変動表示手段の制御と前記第一の決定及び前記第二の決定とを行う主制御手段と、前記報知手段の制御及び前記第三の決定を行う副制御手段とにより構成されることを特徴とする遊技機。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
軸方向と平行に所定長だけ延在する円筒状の環状側壁部と前記環状側壁部に連続する中実部とからなる中間成形体を被成形体とし、付勢手段によって変位可能に付勢された複数の割型と固定金型とによって形成されたキャビティ内に前記被成形体を装填する工程と、
パンチを下降させ、前記被成形体を囲繞する割型が下降しながら前記パンチの第１成形部によって前記被成形体の環状側壁部を半径外方向に塑性変形する第１の据え込み成形が施されることにより、前記被成形体の軸方向の一端部側に第１据え込み成形部を形成する工程と、
パンチをさらに下降させ、前記パンチが被成形体の中実部に当接して前記中実部が加圧されて前記被成形体を囲繞する割型が下降しながら該中実部が半径外方向に塑性変形する第２の据え込み成形が施され、前記塑性変形した肉が前記割型の第２成形部内に流れ込んで充填されることにより、被成形体の軸方向の他端部側に第２据え込み成形部が形成されると共に、前記割型のアンダカット成形部によって前記第１据え込み成形部と前記第２据え込み成形部との間にアンダカット部が形成される工程と、
を有することを特徴とするアンダカット部を有する成形品の製造方法。
【請求項２】
軸方向の一端部側に第１据え込み成形部が形成されると共に、前記軸方向の他端部側に第２据え込み成形部が形成され、且つ、前記第１据え込み成形部と前記第２据え込み成形部との間にアンダカット部が形成されたアンダカット成形品を得るための中間成形体において、
軸方向と平行に所定長だけ延在する円筒状の環状側壁部と前記環状側壁部に連続する円柱状の中実部とからなることを特徴とする中間成形体。
【手続補正２】
【補正対象書類名】図面
【補正対象項目名】図７
【補正方法】変更
【補正の内容】
【図７】
2007105794.tif 000001
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
少なくともモリブデンを含む原料スラリーを乾燥装置へ供給し、該乾燥装置内で前記原料スラリーを乾燥して乾燥粉を得る工程を有する、少なくともモリブデンを含むメタクロレインおよび／またはメタクリル酸合成用触媒の製造方法において、前記乾燥の開始時から終了時までの間、原料スラリーの粘度（単位：ｋｇ／（ｍ・ｓ））を原料スラリーの比重（単位：ｋｇ／ｍ３）で除した値である原料スラリーの比粘度（ｍ２／ｓ）が、下記式（Ｉ）を満足することを特徴とするメタクロレインおよび／またはメタクリル酸合成用触媒の製造方法。
０．９５Ｘ０≦Ｘ≦１．０５Ｘ０    （Ｉ）
Ｘ：原料スラリーの比粘度（ｍ２／ｓ）
Ｘ０：乾燥開始時の原料スラリーの比粘度（ｍ２／ｓ）
【請求項２】
前記乾燥開始時の原料スラリーの比粘度Ｘ０が、２．５×１０−４〜７．０×１０−４ｍ２／ｓである請求項１記載のメタクロレインおよび／またはメタクリル酸合成用触媒の製造方法。
【手続補正書】
【提出日】平成21年5月19日(2009.5.19)
【手続補正１】
【補正対象書類名】特許請求の範囲
【補正対象項目名】請求項１
【補正方法】変更
【補正の内容】
【請求項１】
最初に水で濡れた固体を乾燥する方法において、
（ａ）水様の供給流れを第１の溶剤及び第２の溶剤と接触させ、前記供給流れが、隙間空間と該隙間空間内に存在する水とを有する固体を含んでおり、第１の溶剤が、水の気化熱よりも低い気化熱を有しておりかつ水溶性であり、第２の溶剤が、第１の溶剤の気化熱よりも低い気化熱を有しておりかつ第１の溶剤と混和性であり；
（ｂ）隙間空間に第１の溶剤を有する固体を提供するために、隙間空間に存在する水を第１の溶剤と交換し；
（ｃ）隙間空間に第２の溶剤を有する固体を提供するために、隙間空間に存在する第１の溶剤を第２の溶剤と交換することを特徴とする、最初に水で濡れた固体を乾燥する方法。
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
シデロフォア及び／又はその鉄錯体を含む抗炎症剤。
【請求項２】
シデロフォアがフェリクローム類である請求項１に記載の抗炎症剤。
【請求項３】
フェリクローム類がデフェリフェリクリシンである請求項２に記載の抗炎症剤。
【請求項４】
炎症が消化管の炎症である請求項１〜３のいずれかに記載の抗炎症剤。
【請求項５】
消化管の炎症が、虚血性腸炎、炎症性腸疾患、薬剤性大腸炎、放射線大腸炎、又は劇症大腸炎である請求項４に記載の抗炎症剤。
【請求項６】
消化管の炎症が炎症性腸疾患である請求項５に記載の抗炎症剤。
【請求項７】
炎症性腸疾患が大腸炎である請求項６に記載の抗炎症剤。
【請求項８】
大腸炎が潰瘍性大腸炎である請求項７に記載の抗炎症剤。
【請求項９】
経口投与用である請求項１〜８のいずれかに記載の抗炎症剤。
【請求項１０】
シデロフォア及び／又はその鉄錯体を含む抗酸化剤。
【請求項１１】
シデロフォアがフェリクローム類である請求項１０に記載の抗酸化剤。
【請求項１２】
フェリクローム類がデフェリフェリクリシンである請求項１１に記載の抗酸化剤。
【請求項１３】
シデロフォア及び／又はその鉄錯体を飲食品、化粧品、医薬品、及び試薬からなる群より選ばれる物質に添加する工程を含む、酸化が抑制された物質の製造方法。
【請求項１４】
シデロフォア及びその鉄錯体を飲食品、化粧品、医薬品、及び試薬からなる群より選ばれる物質に添加する工程を含む、物質の酸化抑制方法。